(57)【要約】【課題】シール状の被印刷媒体を台紙から剥離させる印刷装置であって、剥離されたシール状の被印刷媒体の印刷後の粘着力の低下を防ぐ印刷装置及び印刷プログラムを提供する。【解決手段】トリガ印刷モードの場合には、印刷が開始されるとラベル８１２は排出口９９から排出されない位置で印刷が停止される。そして、ＯＫボタン５９が押下されるか、又は、受取皿１０への物体（ユーザの手１００）の進入を検知すると印刷が再開され、残りの印刷が行われる。【選択図】図５
2007245558.tif 000002
【特許請求の範囲】
【請求項１】
多数のラベルが台紙に粘着された帯状のラベル用紙に印刷データを印刷する印刷手段と、前記印刷手段による印刷が行われた前記ラベル用紙の前記ラベルを前記台紙から剥離する剥離手段と、前記剥離手段により剥離された前記ラベルを排出する排出口とを備えた印刷装置であって、
前記剥離手段により剥離された前記ラベルを常に前記排出口から排出する通常排出モードと、前記剥離手段により剥離された前記ラベルを所定条件が成立した場合にのみ排出するトリガ排出モードとのいずれかを指定するモード指定手段と、
当該モード指定手段により指定されたモードを記憶するモード記憶手段と、
当該モード記憶手段に記憶されているモードが前記トリガ排出モードである場合には、前記所定条件が成立するまで、前記排出手段による前記ラベルの排出を停止する排出停止制御手段と
を備えたことを特徴とする印刷装置。
【請求項２】
前記ラベルの排出を指示する排出指示手段を備え、
前記所定条件は前記排出指示手段による排出指示であることを特徴とする請求項１に記載の印刷装置。
【請求項３】
前記印刷装置の前記排出口の設けられている側面への物体の接近を検知する検知手段を備え、
前記所定条件は前記検知手段により物体の接近の検知であることを特徴とする請求項１に記載の印刷装置。
【請求項４】
前記検知手段は、前記側面における前記排出口よりも上側の領域に備えられていることを特徴とする請求項３に記載の印刷装置。
【請求項５】
請求項１乃至４のいずれかに記載の各種処理手段としてコンピュータを機能させるための印刷プログラム。
【発明の詳細な説明】
【技術分野】
【０００１】
本発明は、印刷装置及び印刷プログラムに関するものであり、詳細には、台紙から剥離されるシール状の被印刷媒体に印刷を行う印刷装置及び当該印刷装置で実行される印刷プログラムに関するものである。
【背景技術】
【０００２】
従来、台紙から剥離されるシール状の被印刷媒体に印刷を行う印刷装置において、印刷されたシールを台紙から剥離する機能を有する印刷装置が知られている。このような印刷装置では、台紙から剥離されたシールが排出口から排出されるので、ユーザはシールを台紙からわざわざ剥がす手間が省けるという利点がある。
【０００３】
また、従来、印刷の行われた用紙が排出ビンに排出された後に、別の印刷ジョブの印刷が行われた用紙が同じ排出ビンに排出されると、別々の印刷ジョブの用紙が混在してしまうという問題点から、先に印刷された印刷ジョブの用紙が取り除かれるまで次の印刷ジョブの印刷を停止させる画像形成装置に対して、先に印刷された用紙が取り除かれないことによる印刷ジョブの滞留を防ぐために、特定の条件が満足された場合には次の印刷ジョブの実行開始を許可する画像形成装置が提案されている（特許文献１）。言い換えれば、特許文献１に記載の画像形成装置では、特定の条件が満足されない場合には印刷ジョブの実行を停止している。なお、この特定の条件とは、印刷ジョブが同じユーザであることや、画像形成装置に複数の排出ビンがあり異なる排出ビンを排出先として指定していること、先の印刷ジョブの用紙の排出から所定時間が経過していることである。
【特許文献１】特開２００３−３２０７３２号公報
【発明の開示】
【発明が解決しようとする課題】
【０００４】
しかしながら、印刷されたシールを台紙から剥離する機能を有する印刷装置では、印刷ジョブを実行し、印刷を完了させて剥離されたシールを排出口から排出した状態で、長時間放置していると、シールの粘着剤が乾いてしまったり、粘着面に埃が付着してしまったりして、粘着力が低下してしまうという問題点があった。これは、特許文献１に記載の印刷装置のように、次の印刷ジョブを停止しても、１つの印刷ジョブの印刷を行ううちに発生する問題点であるので、回避することができない。
【０００５】
本発明は、上述の問題点を解決するためになされたものであり、シール状の被印刷媒体を台紙から剥離させる印刷装置であって、剥離されたシール状の被印刷媒体の印刷後の粘着力の低下を防ぐ印刷装置及び印刷プログラムを提供することを目的とする。
【課題を解決するための手段】
【０００６】
上記課題を解決するため、請求項１に係る発明の印刷装置では、多数のラベルが台紙に粘着された帯状のラベル用紙に印刷データを印刷する印刷手段と、前記印刷手段による印刷が行われた前記ラベル用紙の前記ラベルを前記台紙から剥離する剥離手段と、前記剥離手段により剥離された前記ラベルを排出する排出口とを備えた印刷装置であって、前記剥離手段により剥離された前記ラベルを常に前記排出口から排出する通常排出モードと、前記剥離手段により剥離された前記ラベルを所定条件が成立した場合にのみ排出するトリガ排出モードとのいずれかを指定するモード指定手段と、当該モード指定手段により指定されたモードを記憶するモード記憶手段と、当該モード記憶手段に記憶されているモードが前記トリガ排出モードである場合には、前記所定条件が成立するまで、前記排出手段による前記ラベルの排出を停止する排出停止制御手段とを備えたことを特徴とする。
【０００７】
また、請求項２に係る発明の印刷装置では、請求項１に記載の発明の構成に加えて、前記ラベルの排出を指示する排出指示手段を備え、前記所定条件は前記排出指示手段による排出指示であることを特徴とする。
【０００８】
また、請求項３に係る発明の印刷装置では、請求項１に記載の発明の構成に加えて、前記印刷装置の前記排出口の設けられている側面への物体の接近を検知する検知手段を備え、前記所定条件は前記検知手段により物体の接近の検知であることを特徴とする。
【０００９】
また、請求項４に係る発明の印刷装置では、請求項３に記載の発明の構成に加えて、前記検知手段は、前記側面における前記排出口よりも上側の領域に備えられていることを特徴とする。
【００１０】
また、請求項５に係る発明の印刷プログラムでは、請求項１乃至４のいずれかに記載の各種処理手段としてコンピュータを機能させる。
【発明の効果】
【００１１】
請求項１に係る発明の印刷装置では、モード指定手段は、剥離手段により剥離されたラベルを常に排出口から排出する通常排出モードと、剥離手段により剥離されたラベルを所定条件が成立した場合にのみ排出するトリガ排出モードとのいずれかを指定し、モード記憶手段は、モード指定手段により指定されたモードを記憶し、排出停止制御手段は、モード記憶手段に記憶されているモードがトリガ排出モードである場合には、所定条件が成立するまで、排出手段によるラベルの排出を停止することができる。したがって、トリガ排出モードを設定している場合には、所定条件が成立していなければラベルは排出されないので、ユーザがラベルを取らずに放置され、ラベルの粘着面が乾いてしまったり、粘着面にゴミや埃がついてしまったりすることがない。また、通常排出モードを設定している場合には、常にラベルが排出されるので、ユーザが所定条件を成立させる必要はなく、ユーザは好みや状況に合わせてラベルの排出方法を選択することができる。
【００１２】
また、請求項２に係る発明の印刷装置では、請求項１に記載の発明の効果に加えて、排出指示手段は、ラベルの排出を指示することができる。そして、所定条件は排出指示手段による排出指示とすることができる。したがって、簡単に所定条件を成立させ、ラベルの排出の指示を行うことができる。
【００１３】
また、請求項３に係る発明の印刷装置では、請求項１に記載の発明の効果に加えて、検知手段は、印刷装置の排出口の設けられている側面への物体の接近を検知することができる。そして、所定条件は検知手段により物体の接近の検知とすることができる。したがって、ユーザが排出口からラベルを取り出す動作により、簡単に所定条件を成立させ、ラベルの排出の指示を行うことができる。
【００１４】
また、請求項４に係る発明の印刷装置では、請求項３に記載の発明の効果に加えて、検知手段は、側面における排出口よりも上側の領域に備えられている。したがって、ユーザが排出口からラベルを取り出す動作により、簡単に所定条件を成立させ、ラベルの排出の指示を行うことができる。
【００１５】
また、請求項５に係る発明の印刷プログラムでは、請求項１乃至４のいずれかに記載の各種処理手段としてコンピュータを機能させることができ、それによって請求項１乃至４のいずれかに記載の効果を奏することができる。
【発明を実施するための最良の形態】
【００１６】
以下、本発明の実施の形態かを図面を参照して説明する。本発明の印刷装置では、図１に示すようなテープ状の台紙８１１に多数のラベル８１２が等間隔で配置され、粘着されたラベル用紙８１を印刷することができる。図１は、ラベル用紙８１の平面図である。なお、台紙８１１のラベル８１２が粘着されていない面を台紙８１１の裏面、ラベル８１２が貼り付けられている面を台紙８１１の表面といい、ラベル８１２の台紙８１１に貼り付けられている面をラベル８１２の粘着面、印刷される面を表面とする。なお、ラベル８１２の形状、配置位置、配置数は図１に示す例に限らない。また、本実施の形態のラベル８１２は白色である。
【００１７】
印刷装置１では、このような台紙８１１に粘着されたラベル８１２に印刷を行い、ラベル８１２を台紙８１１から剥離して、排出口９９（図２参照）から排出することができる。ラベル８１２は剥離されてから排出口９９から排出されるので、すぐにユーザに取り除かれないと、乾いたり、ゴミが付着したり、印刷装置１の正面壁２ａ（図２参照）に貼り付いたりする。そこで、本発明の印刷装置１では、排出口９９からラベル８１２を排出する際に、ユーザからの指示があるまで排出を停止することができる。なお、印刷装置１は、図１に示すようなラベル用紙以外にも、テープに印刷することができる。
【００１８】
以下、図２乃至図４を参照して、印刷装置１について説明する。図２は、印刷装置１の斜視図であり、図３は、印刷装置１の右側面図であり、図４は、印刷装置１の電気的構成を示すブロック図である。
【００１９】
図２及び図３に示すように、印刷装置１の本体筐体２は正面視縦長の略長方形の正面壁２ａ、正面視略正方形の第一右側面壁２ｂ、第一右側面壁２ｂに対向する正面視略正方形の第一左側面壁（図示外）、第一右側面壁よりもやや中央寄りに位置し、第一右側面壁の奥側に配置された正面視縦長の略長方形の第二右側面壁２ｆ、第二右側面壁２ｆに対向する正面視縦長の略長方形の第二左側面壁（図示外）、正面視略長方形の第一上面壁２ｃ、第一上面壁２ｃから連続し、第一上面壁２ｃの後方、やや低い位置に位置した第二上面壁２ｅ、略長方形の底面（図示外）で囲まれた、略直方体形状をしている。そして、正面壁２ａには、略長方形形状の底面１０ｄ、正面壁１０ａ、右側面壁１０ｂ、左側面壁１０ｃで囲まれた受取皿１０が設けられている。この受取皿１０は、正面壁２ａ、略長方形形状の底面１０ｄ、正面壁１０ａ、右側面壁１０ｂ、左側面壁１０ｃで囲まれ、上部の開口された略直方体形状をしている。また、正面壁２ａには、左右方向に細長く開口し、正面壁２ａの上下方向の略中央よりもやや下の位置に設けられている排出口９９が設けられている。そして、排出口９９から排出されたラベルや、印刷が行われてカットされたテープが受取皿１０により受け取られる。
【００２０】
また、第一上面壁２ｃの正面壁２ａ寄り左側の位置には、印刷されたテープをカットするカットスイッチ９が設けられている。このカットスイッチ９は、図示外の押し切りカッターに接続しており、カットスイッチ９が押下されると印刷済みのテープがカットされる。また、正面壁２ａ寄り右側の位置には、電源ボタン６０、ＯＫボタン５９、印刷ボタン５８、モードボタン５７が前側から後ろ側の順に並んで設けられている。電源ボタン６０は、印刷装置１の電源のオフオンを指示するボタンであり、ＯＫボタン５９は、本実施の形態においてはラベル８１２の排出を開始させる際に押下されるボタンであり、印刷ボタン５８は印刷の開始を指示するボタンであり、モードボタン５９は後述する「トリガ印刷モード」と「通常印刷モード」とを切り替えるボタンである。さらに、モードボタン５７の奥にはモードランプ４５が設けられている。また、図示外の左側面壁には、アルファベットや記号の入力を指示する文字キー群４４（図４参照）や各種機能を指示するその他の機能キー群４３（図４参照）及びメッセージや文字キー群４４により入力された文字が表示されるディスプレイ４６（図４参照）が設けられている。
【００２１】
そして、本体筐体２の内部には、被印刷媒体であるラベル用紙８１やテープが巻回されたテープカセットを収納するテープカセット収納部と、印刷を行うために複数の発熱素子を有するサーマルヘッド３１や被印刷媒体を搬送するプラテンローラ２６（図５参照）を備えた印刷機構部とが設けられている。そして、印刷機構部で印刷された被印刷媒体は排出口９９から排出される。
【００２２】
次に、図２を参照して、進入センサ６１について説明する。図２に示すように、正面壁２ａにおける排出口９９の上部中央に進入センサ６１が設けられている。また、受取皿１０の正面壁１０ａの内側、進入センサ６１に対向する位置には、表面が黒色の板状の反射部材６２が設けられている。進入センサ６１は、イメージセンサである。進入センサ６１にはＬＥＤが設けられ、このＬＥＤから出力された光の反射光を光学素子で検出するものであり、反射部材６２に反射した光であるか否かにより、進入センサ６１と反射部材６２との間に何らかの物があるか否かの判断が行われる。具体的には、受取皿１０にユーザの手が入れられたか否かの検出に用いられる。
【００２３】
次に、図４を参照して、印刷装置１の電気的構成について説明する。印刷装置１には、主制御基板４０が設けられ、当該主制御基板４０には、印刷装置１の主制御を司るＣＰＵ１１が設けられ、ＣＰＵ１１には、文字や記号等のグラフィックデータを記憶したＣＧＲＯＭ３２と、制御プログラムを記憶したＲＯＭ３３と、フラグ等を記憶するＲＡＭ３４と、入出力インターフェース３５とが、データバス３６を介して接続されている。
【００２４】
また、図４に示すように、印刷装置１の入出力インターフェース３５には、サーマルヘッド３１を駆動する駆動回路２３と、プラテンローラ２６を回転させるテープ送りモータ２９を駆動する駆動回路２４と、受取皿１０への物体（手１００）の進入を検出する進入センサ６１と、電源の入り切りを指示する電源ボタン６０と、ラベル用紙８１の搬送を指示するＯＫボタン５９と、印刷の実行を指示する印刷ボタン５８と、モード（通常印刷モード、トリガ排出モード）の切替を行うモードボタン５７と、その他の機能を指示するその他の機能キー群４３と、アルファベットや記号の入力を行う文字キー群４４と、モードの状態を示すモードランプ４５と、メッセージや文字キー群４４により入力された文字が表示されるディスプレイ４６とが接続されている。
【００２５】
次に、図５の模式図を参照して、本発明の要部である印刷装置１においてラベル用紙８１を印刷した際のラベル８１２の搬送について説明する。図５は、印刷装置１の構造を示す模式図である。なお、図５における紙面左が印刷装置１の前方向、紙面右が印刷装置１の後ろ方向となっている。図５に示すように、第一回転軸４８に未印刷のラベル用紙８１が巻回されており、第一回転軸４８に巻回されたラベル用紙８１が引き出されて、複数の発熱素子を有するサーマルヘッド３１と印刷装置１の左右方向に配設された円柱形状のプラテンローラ２６との間に導かれている。そして、サーマルヘッド３１の左には、ラベル剥離部材５１とラベル案内部材５２とが印刷装置１の左右方向に配設されている。このラベル剥離部材５１及びラベル案内部材５２は円柱形状の部材である。そして、サーマルヘッド３１により印字が行われたラベル用紙８１は、プラテンローラ２６の回転により前方向に搬送され、台紙８１１はラベル剥離部材５１により上方向に導かれて第二回転軸４９に巻回される。しかしながら、台紙８１１に粘着されているラベル８１２は、その剛性から台紙８１１から剥離されてそのまま前方向へ搬送されることとなる。しかし、本発明の印刷装置１では、後述する「トリガ排出モード」の際に排出口９９からラベル８１２が排出される前に搬送を停止する。
【００２６】
ここで、印刷装置１の本体筐体２の正面壁２ａに設けられている進入センサ６１について説明する。進入センサ６１の検出値は０〜２５５の値を取る。そして、反射部材６２の進入センサ６１に対向する反射面は黒色に彩色されており、進入センサ６１の値が０〜２５５の中間値である「１２７」以下であれば、「黒色」でない、即ち「物体（ユーザの手１００）」が存在すると判断され、「１２７」より大きければ、「黒色」である、即ち「物体（ユーザの手）」が存在しないと判断されるものとする。「物体（ユーザの手１００）」が存在すると判断されれば、ラベル８１２を排出してもすぐにラベル８１２が取り去られるので、排出口９９に排出されたまま、粘着面が乾いてしまったり、ごみが貼り付いてしまったりすることがない。そこで、「物体（ユーザの手１００）」が存在すると判断された場合には、停止していたラベル用紙８１の搬送を再開して、ラベル８１２を排出口９９から排出する。
【００２７】
また、本実施の形態では、ＯＫボタン５９が押下されると、停止していたラベル用紙８１の搬送を再開して、ラベル８１２を排出口９９から排出する。つまり、ＯＫボタン５９の押下をユーザによるラベル８１２の取り除きの準備ができているので、ラベル８１２を排出するようにとの指示と捉えている。
【００２８】
また、本実施の形態では、「トリガ排出モード」と「通常排出モード」との２つのモードを設け、モードボタン５７によりモードの切り替えを行っている。「トリガ排出モード」は、上述したように、排出口９９からラベル８１２が排出される前に搬送（印刷）を停止し、「物体（ユーザの手１００）」の認識、ＯＫボタン５９の押下というトリガが発生した際に停止していたラベル用紙８１の搬送（印刷）を再開して、ラベル８１２を排出口９９から排出するモードである。また、「通常排出モード」は印刷が終了したら、搬送を停止することなくラベル８１２を排出するものである。なお、「トリガ排出モード」である場合には、モードランプ４５が点灯される。
【００２９】
次に、図６乃至図８のフローチャートを参照して、印刷装置１での処理について説明する。図６は、印刷装置１のメイン処理のフローチャートであり、図７は、メイン処理の中で行われるモード処理のフローチャートであり、図８は、メイン処理の中で行われる印刷処理のフローチャートである。
【００３０】
図６に示すメイン処理は、印刷装置１に電源が投入されると開始され、電源が切られるまで繰り返し実施される。まず、印刷機構部の動作確認やＣＧＲＯＭ３２，ＲＯＭ３３，ＲＡＭ３４の動作確認等の初期処理が行われる（Ｓ１）。そして、キー入力を受け付けたか否かの判断が行われる（Ｓ２）。キー入力を受け付けていなければ（Ｓ２：ＮＯ）、その他の処理が行われて（Ｓ１１）、Ｓ２へ戻る。また、キー入力を受け付けていれば（Ｓ２：ＹＥＳ）、入力を受け付けたキーが機能キー（モードボタン５７、その他の機能キー群４３）であるか否かの判断が行われる（Ｓ３）。
【００３１】
キーが機能キーでなければ（Ｓ３：ＮＯ）、文字キー群４４のいずれかのキーであるので、文字キーからの入力が受け付けられ（Ｓ６）、受け付けられた内容がディスプレイ４６に表示される（Ｓ７）。そして、Ｓ２へ戻る。また、キーが機能キーであれば（Ｓ３：ＹＥＳ）、機能キーの種類がモードボタン５７であるか否かの判断が行われる（Ｓ４）。モードボタン５７であれば（Ｓ４：ＹＥＳ）、モード処理が行われる（Ｓ８、図７参照）。
【００３２】
図７に示すように、モード処理では、まず「トリガ印刷モード」であるか否かの判断が行われる（Ｓ２１）。この判断にはモードフラグが用いられる。このモードフラグの値はＲＡＭ３４に設けられたモードフラグ記憶エリアに記憶されており、「１」が記憶されている状態を「オン」とし「トリガ印刷モード」であることを示している。そして、「０」が記憶されている状態を「オフ」とし「通常印刷モード」であることを示している。そこで、モードフラグの値が「１」であるか否かにより、「トリガ印刷モード」であるか否かの判断が行われ（Ｓ２１）、モードフラグの値が「１」であり「トリガ印刷モード」であれば（Ｓ２１：ＹＥＳ）、モードフラグに「０」が記憶されてオフとされ「通常印刷モード」に切り替えられる（Ｓ２３）。一方、モードフラグの値が「０」であり「トリガ印刷モード」でなく「通常印刷モード」であった場合には（Ｓ２１：ＮＯ）、モードフラグに「１」が記憶されてオンとされ「トリガ印刷モード」に切り替えられる（Ｓ２２）。このようにして、モードボタン５７が押下された場合にモードの切り替えが行われ、メイン処理へ戻り、Ｓ２へ戻る。
【００３３】
また、メイン処理において、機能キーの入力を受け付け（Ｓ２：ＹＥＳ，Ｓ３：ＹＥＳ）、機能キーの種類がモードボタン５７でない場合には（Ｓ４：ＮＯ）、印刷ボタン５８であるか否かの判断が行われ（Ｓ５）、印刷ボタン５８であれば（Ｓ５：ＹＥＳ）、印刷処理が行われる（Ｓ９、図８参照）。
【００３４】
図８に示すように、まず、「トリガ印刷モード」であるか否かの判断が行われる（Ｓ３１）。モードフラグの値が「０」であり「トリガ印刷モード」でなく「通常印刷モード」であった場合には（Ｓ３１：ＮＯ）、排出口９９から印刷済みのラベル８１２が排出されないように、搬送を停止する必要はないので、全ての印刷が行われる（Ｓ３２）。そして、メイン処理へ戻り、Ｓ２へ戻る。
【００３５】
一方、モードフラグの値が「１」であり「トリガ印刷モード」であれば（Ｓ３１：ＹＥＳ）、所定量の印刷が実行される（Ｓ３３）。具体的には、ラベル８１２は印刷開始位置から、ラベル８１２の先端が排出口の手前に位置するまで搬送され、この際の搬送量で印刷できるだけの量が所定量となる。Ｓ３３において所定量の印刷が行われると、続きの印刷はすぐには行われずに停止する。ラベル用紙８１の搬送も停止されることとなる。本実施の形態では、ユーザからの指示を受けなければ印刷は継続されない。具体的には、ＯＫボタン５９が押下されること、受取皿１０に物体（ユーザの手１００）が入れられることがユーザからの指示とされている。
【００３６】
そこで、ＯＫボタン５９が押下されたか否かの判断が行われる（Ｓ３４）。ユーザによりＯＫボタン５９が押下されなければ（Ｓ３４：ＮＯ）、受取皿１０にユーザの手１００が進入されているか否かを判断するために、進入センサ６１の値が取得される（Ｓ３５）。そして、取得された値が物体（ユーザの手１００）があることを意味する値（１２７以下）でなければ（Ｓ３６：ＮＯ）、まだ印刷を再開することはできないので、Ｓ３４へ戻り、引き続きＯＫボタン５９の押下の判断（Ｓ３４）、受取皿１０への物体の有無の判断（Ｓ３５，２６）の処理が行われる。繰り返し、Ｓ３４〜Ｓ３６の処理が行われ、ＯＫボタン５９が押下されれば（Ｓ３４：ＹＥＳ）、残りの印刷が行われ（Ｓ３７）、印刷処理は終了し、メイン処理へ戻り、Ｓ２へ戻る。また、繰り返し、Ｓ３４〜Ｓ３６の処理が行われ、Ｓ３５で取得された値が物体（ユーザの手１００）があることを意味する値であれば（Ｓ３６：ＹＥＳ）、残りの印刷が行われ（Ｓ３７）、印刷処理は終了し、メイン処理へ戻り、Ｓ２へ戻る。
【００３７】
また、メイン処理において、機能キーの入力を受け付け（Ｓ２：ＹＥＳ、Ｓ３：ＹＥＳ）、機能キーの種類がモードボタン５７でない場合には（Ｓ４：ＮＯ）、印刷ボタン５８であるか否かの判断が行われ（Ｓ５）、印刷ボタン５８でなければ（Ｓ５：ＮＯ）、その他の機能キーに応じた機能処理が行われる（Ｓ１０）。そして、Ｓ２へ戻る。
【００３８】
以上のように、印刷装置１では、「トリガ印刷モード」である場合に印刷ボタン５８が押下されると（Ｓ５：ＹＥＳ）、所定量の印刷が行われた後に（Ｓ３３）、ユーザからの指示である、ＯＫボタン５９の押下（Ｓ３４：ＹＥＳ）、又は、受取皿１０への物体（ユーザの手１００）の進入を検知するまで（Ｓ３６：ＹＥＳ）、印刷動作を停止し、これらの指示を検出した後に（Ｓ３４:ＹＥＳ、又は、Ｓ３６:ＹＥＳ）、残りの印刷が行われる。したがって、印刷済みで剥離されたラベル８１２の粘着面が乾いてしまったり、粘着面にごみが付着してしまったりすることがない。
【００３９】
また、モードボタン５７の操作により、「トリガ印刷モード」と「通常印刷モード」とを切り替えることができる。よって、指示することなくラベル８１２への印刷を継続して行いたいユーザは「通常印刷モード」に設定すれば、指示することなく次々に印刷済みのラベルが排出口９９から排出される。したがって、ユーザの好みに合わせたモードで印刷を行うことができる。そして、「トリガ印刷モード」ではモードランプ４５が点灯するので、印刷装置１がどちらのモードに設定されているのかをユーザは知ることができる。
【００４０】
なお、上記実施の形態のサーマルヘッド３１が「印刷手段」に該当し、ラベル剥離部材５１が「剥離手段」に該当し、モードボタン５７が「モード指定手段」に該当し、モードフラグを記憶しているＲＡＭ３４のモード記憶エリアが「モード記憶手段」に該当し、図８に示す印刷処理のＳ３３〜Ｓ３６の処理を行うＣＰＵ１１が「排出停止制御手段」に相当し、ＯＫボタン５９が「排出指示手段」に該当し、進入センサ６１が「検知手段」に該当する。
【００４１】
なお、本発明の印刷装置は、上記した実施の形態に限定されるものではなく、本発明の要旨を逸脱しない範囲内において種々変更を加え得ることは勿論である。上記実施の形態では、印刷装置１としてテープ形状の被印刷媒体を印刷する印刷装置を例にあげ、被印刷媒体としてラベル用紙８１を例にあげたが、被印刷媒体はテープ形状でなく、カット紙や連続用紙にラベルが貼付されているものであってもよい。また、印刷装置１も他の種類のメディアを印刷するレーザプリンタ、インクジェットプリンタ、熱転写プリンタ、ドットプリンタ等であってもよいことはいうまでもない。また、上記実施の形態では、文字キー群４４を備え、文字キー群４４から入力された文字を印刷したり、予めＣＧＲＯＭ３２に記憶されている印刷データを印刷したりする印刷装置１を例にあげたが、パーソナルコンピュータに接続して、パーソナルコンピュータから送信される印刷データを印刷する印刷装置であってもよい。
【００４２】
また、上記実施の形態では、ユーザからの指示をＯＫボタン５９の押下、及び、進入センサ６１による受取皿１０への物体（ユーザの手１００）の進入の検知としているが、必ずしも両方を備えている必要はない。ＯＫボタン５９の押下を検知した際にのみ、残りの印刷を再開する印刷装置であってもよい。また、進入センサ６１による受取皿１０への物体（ユーザの手１００）の進入を検知した際にのみ、残りの印刷を再開する印刷装置であってもよい。
【００４３】
また、上記実施の形態では、進入センサ６１を正面壁２ａにおける排出口９９の上部中央に設けているが、進入センサ６１の配置はこれに限らない。進入センサ６１のＬＥＤから出力された光を反射させる反射部材６２を受取皿１０の正面壁１０ａの内側に設けることができる高さで、排出口９９よりも高い位置であればよい。例えば、受取皿１０の正面壁１０ａの高さを図２及び図３に示す例よりも高くし、反射部材６２をより高い位置に配置すれば、進入センサ６１の配置も高くすることが可能である。また、進入センサ６１の配置を上記実施の形態よりも高い位置とし、ＬＥＤの光の出力方向を受取皿１０の底面壁１０ｄと平行にせずに、反射部材６２に向けて下方向に出力してもよい。
【００４４】
また、上記実施の形態では、ラベル８１２は印刷開始位置から、ラベル８１２の先端が排出口の手前に位置するまで印刷が行われ（Ｓ３３）、その後、ユーザからの指示（ＯＫボタン５９の押下、進入センサ６１の物体検出）を受けると残りの印刷が行われている（Ｓ３７）。しかしながら、ラベル８１２の長さが、ラベル８１２の先端が排出口の手前に位置するまでの間に印刷が終了してしまうようなものである場合には、Ｓ３７においては、印刷は行われず、ラベル用紙８１の搬送のみが行われることとなる。
【００４５】
本発明の印刷装置は、台紙に剥離可能なラベルが貼付されているラベル用紙を印刷する印刷装置に利用可能である。
【図面の簡単な説明】
【００４６】
【図１】本実施の形態におけるラベル用紙の平面図である。
【図２】印刷装置の斜視図である。
【図３】印刷装置の右側面図である。
【図４】印刷装置の電気的構成を示すブロック図である。
【図５】印刷装置の構造を示す模式図である。
【図６】印刷装置のメイン処理のフローチャートである。
【図７】メイン処理の中で行われるモード処理のフローチャートである。
【図８】メイン処理の中で行われる印刷処理のフローチャートである。
【符号の説明】
【００４７】
１  印刷装置
１０  受取皿
１１  ＣＰＵ
３１  サーマルヘッド
３４  ＲＡＭ
４５  モードランプ
５１  ラベル剥離部材
５７  モードボタン
５８  印刷ボタン
５９  ＯＫボタン
６１  進入センサ
６２  反射部材
８１  ラベル用紙
９９  排出口
１００  手
８１１  台紙
８１２  ラベル
【図１】
2007245558.tif 000003
【図２】
2007245558.tif 000004
【図３】
2007245558.tif 000005
【図４】
2007245558.tif 000006
【図５】
2007245558.tif 000007
【図６】
2007245558.tif 000008
【図７】
2007245558.tif 000009
【図８】
2007245558.tif 000010